(57)【要約】【課題】防水性に優れる防災受信機を提供することを目的とする。【解決手段】裏面を壁固定面１１として、金属板を加工して箱型に形成された筐体１０を備え、壁固定面１０は、壁面に接する平坦面を構成する周縁枠部１２と、周縁枠部１２より内側の領域を陥没させて形成された配線収容凹所１３とを備える。【選択図】図１
2014056502.tif 000002
【特許請求の範囲】
【請求項１】
壁面取付式の防災受信機において、
裏面を壁固定面として、金属板を加工して箱型に形成された筐体を備え、
前記壁固定面は、壁面に接する平坦面を構成する周縁枠部と、該周縁枠部より内側の領域を陥没させて形成された配線収容凹所とを備える防災受信機。
【請求項２】
請求項１に記載の防災受信機において、
前記壁固定面は、前記配線収容凹所の適所に、前記周縁枠部まで突出するネジ固定部を更に備えていることを特徴とする防災受信機。
【請求項３】
請求項１または２において、
前記配線収容凹所は、前記壁固定面を絞り加工して形成されていることを特徴とする防災受信機。
【請求項４】
請求項１〜３のいずれかにおいて、
前記筐体は、一枚の板金によって、前記壁固定面の四方を囲む側面が連続して設けられ、それらの四方の側面を、前記壁固定面の前面側に曲げ加工して、箱型に形成されていることを特徴とする防災受信機。
【発明の詳細な説明】
【技術分野】
【０００１】
本発明は壁面取付式の防災受信機を構成する筐体に関する。
【背景技術】
【０００２】
従来、この種の壁面取付式の防災受信機は、筺体の裏面側に形成された配線孔から導入された配線を、筐体の裏面で隠蔽して体裁よく筐体内部に導入するために、筐体の背面側には配線を収容するためのスペースが確保されている。例えば、次の特許文献に示す火災受信機４００では、筐体裏面側の底面４０１は、その四方を囲む側面４０２の端部より上げ底にして、筺体の側面にスポット溶接などに固定されており、壁面と上げ底になった底面との間に生じたスペース４０３に配線を隠蔽収容させる構造としている。
【先行技術文献】
【特許文献】
【０００３】
【特許文献１】特開２０００−３４８７号公報
【発明の概要】
【発明が解決しようとする課題】
【０００４】
しかしながら上記特許文献のような構造の防災受信機は、筐体の外周に位置する壁面と配線収容部となるスペースとの間には、薄い側面板金が存在するだけであるので、壁面と側面板金との隙間を防水処理しても、長期間使用しているうちに、配線収容部内に水が浸入して、その配線が水分によって腐食や断線が生じてしまうという問題があった。そこで本発明は、そのような問題を解決し、防水性に優れる防災受信機を提供することを目的とする。
【課題を解決するための手段】
【０００５】
本発明による防災受信機は、壁面取付式の防災受信機において、裏面を壁固定面として箱型に形成された筐体を備え、前記壁固定面は、壁面に接する平坦面を構成する周縁枠部と、該周縁枠部より内側の領域を陥没させて形成された配線収容凹所とを備える。
【０００６】
前記壁固定面は、前記配線収容凹所の適所に、前記周縁枠部まで突出するネジ固定部を更に備えていてもよい。
【０００７】
前記配線収容凹所は、前記壁固定面を絞り加工して形成されていてもよい。
【０００８】
前記筐体は、一枚の板金によって、前記壁固定面の四方を囲む側面が連続して設けられえ、それらの四方の側面を、前記壁固定面の前面側に曲げ加工して、箱型に形成されていてもよい。
【発明の効果】
【０００９】
本発明による防災受信機によれば、壁面に接する平坦面を構成する周縁枠部と、該周縁枠部より内側の領域を陥没させて形成された配線収容凹所とを備えている。したがって、周縁枠部を形成するにあたって、筐体の周縁から配線収容凹所に至る距離を十分な大きさに設計しておけば、従来構造の筺体に比べて、配線収容空間への水分の浸入が難くなる。また、周縁枠部と壁面との空隙により多くの防水樹脂材を広げて塗布、充填できるため、防水性能も向上する。更に、防水樹脂材を周縁枠部と壁面との空隙に、外から見えないように塗布、充填できるので、施工後の美観にも優れる。
【図面の簡単な説明】
【００１０】
【図１】（ａ）は本発明の一実施形態を示す防災受信機の正面図、（ｂ）は右側面図、（ｃ）は背面図である。
【図２】（ａ）は筐体の正面図、（ｂ）は右側面図、（ｃ）は背面図、（ｄ）は平面図、（ｅ）はＡ−Ａ線断面図、（ｆ）はＢ−Ｂ線断面図である。
【図３】筐体の背面側の全体斜視図である。
【図４】防災受信機の施工後の状態を示す縦断面図である。
【図５】本発明の他の実施形態を示す筐体の斜視図である。
【図６】（ａ）〜（ｃ）は筐体の絞り加工による製造過程を時系列的に示す概念図である。
【図７】曲げ加工を施す前の板金の斜視図である。
【図８】従来の防災受信機の縦断面図である。
【発明を実施するための形態】
【００１１】
本発明は壁面取付式の防災受信機の筐体に関するものであり、筐体の構造および製造方法に特徴を有するが、回路構成や、火災感知、警報出力等の基本動作は従来のものと同様である。よって防災受信機の回路構成や基本動作等の説明は割愛し、筐体について専ら説明する。
【００１２】
図１〜図３に本発明を適用したＰ型火災受信機の一例を示す。ここに図１は火災受信機全体の外観を示し、図２、図３は火災受信機の筐体の外観と構造を示す。
【００１３】
この火災受信機１は、幅および高さに対して奥行が小さい長方体の外観であり、正面側に開口部１８を設けた筐体（収納ボックス）１０と、その開口部１８に接合されるフロントパネル２０とを備える。筐体１０の内部には、回路基板やスピーカ等が設けられる（不図示）。
【００１４】
筐体１０は箱型であって、その背面である壁固定面１１と、その四方を囲む側面１１ａとが一枚の板金によって連続して形成され、前面側に開口１８を有する。板金としては例えば３ミリ厚程度のスチール板を用いるとよいが、それ以外の素材、厚みの板金を用いてもよい。壁固定面１１は、壁面に接する平坦面を形成する周縁枠部１２と、周縁枠部１２より内側の領域を陥没させて形成された配線収容凹所１３と、壁面にネジ固定するためのネジ固定部１４とを備えている。周縁枠部１２はその横断方向に少なくとも板金の厚み以上、より詳細には板金の厚みの２倍以上の幅を有する。
【００１５】
配線収容凹所１３は、壁面の貫通穴から導出された各種配線を筐体１０の配線孔１５まで導くためのスペースを確保するためのものであって、配線収容凹所１３と周縁枠部１２との境界部分は４５度程度の傾斜面１９になっている。配線収容凹所１３の深さは、例えば１〜３センチ程度でよい。傾斜面１９の角度は筐体１０の製造容易さを考慮して選択されているが、それ以外の角度であっても機能的な違いはない。また配線収容凹所１３の上側２コーナーはいずれも単純な円弧によって、一方、下側２コーナーはいずれも２つの円弧によって構成されているが、これはデザインと製造容易さを考慮した結果であり、これ以外の形状としても構わない。配線収容凹所１３の右下部分には、各種配線、具体的には電源線、感知器配線、音響配線等を挿通させる楕円形の配線孔１５が設けられている。
【００１６】
ネジ固定部１４は、周縁枠部１２を超えて突出しないように形成され、望ましくは周縁枠部１２と同一水準の高さとされる。ネジ固定部１４は周縁枠部１２から配線収容凹所１３の領域にはみ出すように形成され、その端面にはダルマ孔１６が設けられている。
【００１７】
１７は、パンチアウト部である。この部分の板金はニッパー等の工具によって施工現場で簡単に除去できる。ここを除去するだけで、金属モール等によって保護された配線、つまり壁面の表面上に設置された配線を配線収容凹所１３まで導くための配線溝（図示なし）が形成できる。また周縁枠部１２の下部には、水抜き溝を設けてもよい（図示なし）。
【００１８】
フロントパネル２０は１ミリ〜２ミリ厚のスチール板等によって形成されるが、もちろんそれ以外の素材、厚みの板金を用いてもよい。フロントパネル２０と筐体１０との接合方法は特に制限されないが、この例ではフロントパネル２０の各コーナー部にネジ孔２１が設けられ、その部分が筐体１０にネジ固定される。ネジ固定とせずに蝶番等によって開閉自在に接合してもよい。フロントパネル２０の右側には、表示操作部３０を筐体１０の内側から外側に露出させるための窓部２２が設けられ、左側には、フロントパネル２０の無断開放を防止するためのキーロック２３が設けられている。
【００１９】
表示操作部３０には、警報停止、地区鳴動停止、停止解除、復旧等の各種スイッチ３１や、代表灯、地区表示灯等の各種警告灯３２が整列されている。表示操作部３０の露出部分および、および窓部２２との間隙は防水処理されている。
【００２０】
図４に火災警報器が壁面に設置された状態を示す。図示のように、火災受信機１は、壁面１００の貫通穴１０１に被さるように固定される。具体的にはネジ固定部１４が固定ネジ５０によって壁面１００にネジ止めされる。ここに固定ネジ５０は、断面中にないので破線によって示している。筐体１０の周縁枠部１２と壁面１００との隙間は防水樹脂材２００等によって防水処理するとよいが、両面テープタイプの防水材を用いてもよい。なおネジ固定部１４だけでなく、周縁枠部１２の適所をドリル等で穴開けして、その部分を壁面１００にネジ止めしてもよい。この穴開けが容易になるようにパンチアウト部を設けてもよい。
【００２１】
壁面１００の貫通穴１０１からは配線４０が導出され、配線収容凹所１３、配線孔１５を経由して、筐体１０の内部に導入されている。便宜的に配線１００は１本のみ図示しているが、実際の配線数は複数である。
【００２２】
本発明の効果を分かりやすく説明するため、施工の一例として、配線４０はその途中に圧着による延長処理が施されて、そこが接合部４１になっていると想定する。
【００２３】
従来このような火災受信機は建造物の管理室等に設置されるが、その管理室も火災監視の対象であり、スプリンクラー等の消火設備が設置される。そのスプリンクラーが作動すれば火災受信機およびその周囲が水濡れすることが当然考えられる。また壁面が結露する場合もある。そのような水分が配線収容凹所に浸入すると、上記のような配線の接続部に浸み込んで金属線を少しずつ腐食させて最終的には断線させてしまうおそれがある。
【００２４】
しかしながら本発明による防災受信機１は、周縁枠部１２によって配線収容凹所１３を囲んでおり、その周縁枠部１２の横断方向に幅がある平坦面と壁面との間隙に防水樹脂材２００を広げて塗布、充填できる。そのため防水樹脂材２００が経年変化によってひび割れ等を生じても、そのひび割れが周縁枠部１２の部位を完全に横断するまで拡大しなければ、水分が配線収容凹所１３に浸入できない。そのため防水性能を長期間持続でき、配線４０の接合部４１が腐食、断線するおそれもない。また防水樹脂材２００がはみ出ないように、つまり外から見えないように塗布できるので、設置後の美観に優れるという効果もある。
【００２５】
図５に、本発明の他の実施形態を示す。この実施形態は、ネジ固定部１４が周縁枠部１２から分離して配線収容凹所１３の領域内に形成されている点に特徴を有している。それ以外の構成要素は上記の実施形態と共通なので、それらは同一の参照符号を付けて説明を割愛する。
【００２６】
図示のネジ固定部１４は、配線収容凹所１３の領域内の上部から周縁枠部１２と同じ高さまで突出しており、その円形の端面にはダルマ孔１６が形成されている。この端面と配線収容凹所１３との境界部分は、傾斜面１９と同様の傾斜面になっている。このように、ネジ固定部１４を周縁枠部１２から分離させれば、配線収容凹所１３に万一水分が浸入してきた場合でも、その水分がネジ固定部１４のダルマ孔１６まで到達し難くなるので、そこに固定される固定ネジ５０（図４参照）の腐食が防止できる効果がある。
【００２７】
なおここでは、壁面に沿って設置された配線を配線収容凹所１３に導く配線溝を形成するためのパンチアウト部を設けていないが、上記実施例と同様のパンチアウト部を設けてもよい。
【００２８】
また上記実施形態のそれぞれで、ネジ固定部は１つとしているが、その個数に制限はない。
【００２９】
次いで、本発明による防災受信機の製造方法を、図６、図７に従って簡単に説明する。図６（ａ）〜（ｃ）に、板金の絞り加工による筐体の製造過程を示す。この例では、絞り加工によって筐体１０の側面１１ａと配線収容凹所１３とを同時に形成している。
【００３０】
図６（ａ）は、平坦な板金２を下金型３００とシワ押さえ３０１の間に挟んだ状態である。第１の上金型３０２と、第２の上金型３０３は待機位置にある。板金２および各金型３００〜３０３は、プレス方向に直交する方向から見たときの断面図として示している。つまり図においてシワ押さえ３０１は２カ所に描かれているが、これをプレス方向から見れば、開口を有する長方枠形である。またプレス方向から見たとき、下金型３００、第１、第２の上金型３０２、３０３は長方形である。
【００３１】
図６（ａ）の状態から、第１の上金型３０２と第２の上金型３０３とをそれぞれ適切な速度で降下させると、板金２が伸展、湾曲しながら塑性変形していく。そして図６（ｂ）のように、第１、第２の上金型３０２、３０３が規定位置まで到達したときには、板金２は、金型３００〜３０３の間隙によって規定される形状、つまりは筐体１０の形状に塑性変形される。
【００３２】
その後、第１、第２の上金型３０２、３０３を上昇させて板金２を取り出せば、図６（ｃ）のように、配線収容凹所１３と側面１１ｂとが形成された筐体１０の半製品が得られる。板金２は絞り加工によって揉まれて硬くなるので、この製造方法による筐体１０は強度に優れる。
【００３３】
なお絞り加工時には板金２が金型３００〜３０３に対して滑り移動しながら変形するので、その際の傷つきや破れを防止するために、板金２の両面には適切な潤滑油が予め塗布されている。
【００３４】
また、曲げ加工によって筐体の側面を形成することもできる。図７は曲げ加工前の板金２の状態を示している。この板金２は上記のような絞り加工等によって配線収容凹所１３が既に形成された状態であり、筐体１０の側面１１ａとなる部分を残して板金２の四隅が裁断されている。このような板金２に対して、まず破線Ｘの位置で板金２を矢印方向（筐体の前面側）にそれぞれヘミング曲げ等してから、更に、破線Ｙの位置で板金２を矢印方向（筐体の前面側）に箱曲げすればよい。なおこのような曲げ加工には、既存の加工装置を用いればよい。また曲げ加工後、隣接し合う側面１１ａ同士の稜線部はロウ付け等によって完全に結合させるとよい。
【００３５】
このような製造方法によって、１枚の板金から壁固定面と側面との間に継ぎ目がない、そのため防水性に優れた筐体が得られる。
【符号の説明】
【００３６】
１      防災受信機
１０    筐体
１１    壁固定面
１１ａ  側面
１２    周縁枠部
１３    配線収容凹所
１４    ネジ固定部
１００  壁面
【図１】
2014056502.tif 000003
【図２】
2014056502.tif 000004
【図３】
2014056502.tif 000005
【図４】
2014056502.tif 000006
【図５】
2014056502.tif 000007
【図６】
2014056502.tif 000008
【図７】
2014056502.tif 000009
【図８】
2014056502.tif 000010